(57)【要約】【課題】構造が簡単で薄く、安価で、視認性の良い立体的な表示ができるエレベータ表示装置を提供する。【解決手段】エレベータ表示装置は、開口を有し、上記開口をエレベータのかご室あるいは乗場に望ませて、壁面に取り付けられるフレームボックスと、上記開口に面して設けられ、表示すべき文字あるいは記号を有する表示板と、上記表示板に光を照射する発光体と、上記表示板と上記開口との間に設けられ、上記表示板からの光を反射させて上記表示板の鏡像を形成させる反射型面対称結像素子とを備えている。【効果】構造が簡単で薄く、安価で、視認性の良い立体的な表示ができる。【選択図】図１
2010208714.tif 000002
【特許請求の範囲】
【請求項１】
開口を有し、上記開口をエレベータのかご室あるいは乗場に望ませて、壁面に取り付けられるフレームボックスと、
上記開口に面して設けられ、表示すべき標識パターンを有する表示板と、
上記表示板に光を照射する発光体と、
上記表示板と上記開口との間に設けられ、上記表示板からの光を反射させて上記表示板の鏡像を形成させる反射型面対称結像素子と
を備えたことを特徴とするエレベータ表示装置。
【請求項２】
上記フレームボックスが上記表示板、上記発光体および上記反射型面対称結像素子を支持していることを特徴とする請求項１に記載のエレベータ表示装置。
【請求項３】
上記表示板が光透過型表示板であり、上記鏡像が、上記表示板の透過光により形成されることを特徴とする請求項１あるいは２に記載のエレベータ表示装置。
【請求項４】
上記表示板が光反射型表示板であり、上記鏡像が、上記表示板の反射光により形成されることを特徴とする請求項１あるいは２に記載のエレベータ表示装置。
【請求項５】
上記反射型面対称結像素子は、基板に内面が反射鏡面になっている多数の微少な貫通穴が一面に設けられ、上記貫通穴は、ほぼ正方形断面の角柱状であり、内壁が鏡面処理されて、互いに隣接して直交する２つのマイクロミラーで構成された２面コーナーリフレクターを備えたものであることを特徴とする請求項１〜４のいずれか一項に記載のエレベータ表示装置。
【請求項６】
上記反射型面対称結像素子が透明板で覆われていることを特徴とする請求項１〜５のいずれか一項に記載のエレベータ表示装置。
【発明の詳細な説明】
【技術分野】
【０００１】
本発明は乗場およびかごにおいて各種表示を行うためのエレベータ表示装置に関するものである。
【背景技術】
【０００２】
従来のエレベータ表示装置としては、エレベータのかご内あるいは乗場の壁面に、一側面に開口部を有する表示灯ボックス内に発光体を設け、開口部側に表示すべき情報を表す文字や記号等が付された照光体を設け、発光体の光で照光体を裏から照射して情報をエレベータのかご内あるいは乗り場に向けて表示するものが提案されている（例えば特許文献１参照）。
【０００３】
一方、鏡に映った映像を空中に立体的に結像させる光学素子として、光を屈曲させつつ透過させて面対称位置へ実像の結像作用を持つ光線屈曲面と、当該光線屈曲面に向けて配置される鏡面とを具備し、光線屈曲面を挟んで鏡面とは反対側である観察側に配置した被投影物の像を、当該被投影物から発せられる光が光線屈曲面を透過して鏡面に反射し更に光線屈曲面を透過することによって、鏡面の光線屈曲面に対する面対称位置に移動させた実体のない仮想鏡に映した位置に結像させる反射型面対称結像素子が知られている（例えば特許文献２参照）。
【先行技術文献】
【特許文献】
【０００４】
【特許文献１】特開２００４−１８２４６８号公報
【特許文献２】特開２００８−１５８１１４号公報
【発明の概要】
【発明が解決しようとする課題】
【０００５】
特許文献１に記載されているようなエレベータ表示装置においては、照光体をフェイスプレートから突出させたり、照光体の裏面に文字あるいは記号を彫り込んだり、多数の細いラインを描くなどして立体感を出して視認性をよくする一方、発光体として冷陰極蛍光ランプを用いるなどして表示装置の厚さ寸法を小さくしようとしている。
【０００６】
しかしながら、立体感を持たせるために照光体の裏面に文字や記号を彫込むため、製作が困難でコスト高となる。また、厚さが十分に小さくできないため近年の薄型化の要求を必ずしも満足させることができない。
【０００７】
従ってこの発明の目的は、構造が簡単で薄く、安価で、視認性の良い立体的な表示ができるエレベータ表示装置を提供することである。
【課題を解決するための手段】
【０００８】
この発明のエレベータ表示装置は、開口を有し、上記開口をエレベータのかご室あるいは乗場に望ませて、壁面に取り付けられるフレームボックスと、上記開口に面して設けられ、表示すべき標識パターンを有する表示板と、上記表示板に光を照射する発光体と、上記表示板と上記開口との間に設けられ、上記表示板からの光を反射させて上記表示板の鏡像を形成させる反射型面対称結像素子とを備えたことを特徴とするエレベータ表示装置である。
【発明の効果】
【０００９】
この発明のエレベータ表示装置によれば、構造が簡単で薄く、安価で、視認性の良い立体的な表示ができる。
【図面の簡単な説明】
【００１０】
【図１】この発明のエレベータ表示装置の一実施形態を示す概略断面図である。
【図２】図１のエレベータ表示装置の表示板を示す概略平面図である。
【図３】図１のエレベータ表示装置に用いられている反射型面対称結像素子を示す概略平面図である。
【図４】図３の円Ａで囲んだ部分の拡大斜視図である。
【発明を実施するための形態】
【００１１】
以下、この発明の実施の形態について説明する。
【００１２】
実施の形態１．
図１はこの発明のエレベータ表示装置の一実施形態を示す概略断面図であり、図２は図１のエレベータ表示装置の表示板を示す概略平面図であり、図３は図１のエレベータ表示装置に用いられている反射型面対称結像素子を示す概略平面図であり、図４は図３の円Ａで囲んだ部分の拡大斜視図である。
【００１３】
エレベータ表示装置は、エレベータのかご室あるいは乗場の壁１に形成された壁開口２に取り付けられて、かご室あるいは乗場に望ませて配置された開口３を持つフレームボックス４と、フレームボックス４内で開口３に面して設けられ、表示すべき文字、記号および図形を含む標識パターン５を有する表示板６と、フレームボックス４内に設けられて表示板６に光を照射する発光体７と、フレームボックス４内で表示板６と開口３との間に設けられ、表示板６からの光を反射させて表示板６の鏡像８を形成させる反射型面対称結像素子９とを備えている。
【００１４】
フレームボックス４は開口３を壁開口２内に嵌合させて、フランジ１０によってネジ１１で壁１の裏面に取り付けられていて、その底部内側に発光体７が取り付けられている。フレームボックス４の内部には開口３に近い部分に取付タブ１２が設けられていて、この取付タブ１２の図１で下面に遮光カバー１３が取り付けられていて、遮光カバー１３の内部には表示板６が取りつけられている。取付タブ１２の図１で上面には反射型面対称結像素子９と、透明板１４とが乗せられていて、開口３の部分を覆うフェイスプレート１５が設けられている。フェイスプレート１５の裏面からは、透明板１４、反射型面対称結像素子９、取付タブ１２よび遮光カバー１３を貫通するボルト１６が延びていて、ナット１７によって締結されている。このように、表示板６、発光体７および反射型面対称結像素子９だけでなく、遮光カバー１３、透明板１４およびフェイスプレート１５もすべてフレームボックス４によって支持されており、フレームボックス４はフランジ１０とネジ１１によって乗場の壁１に取りつけられている。
【００１５】
表示板６は、図２に示すような、透明あるいは半透明の板部材に矢印などの文字、記号および図形を含むパターンである標識パターン５が描かれた光透過型のものであり、背後に設けられた発光体７からの光による照射を受けて光を透過させ、反射型面対称結像素子９を通して、表示板６すなわち表示板６上の標識パターン５の鏡像８が乗場の壁１から離れた位置に形成される。
【００１６】
反射型面対称結像素子９は、基板２０に内面が反射鏡面になっている多数の微少な貫通穴２１が一面に設けられた板状部材であり、貫通穴２１は、ほぼ正方形断面の角柱状であり、内壁が鏡面処理されて、互いに隣接して直交する２つのマイクロミラー２２および２３で構成された２面コーナーリフレクター２４を備えた光学素子である。
【００１７】
この発明の目的に使用できる反射型面対称結像素子９としては、例えば、特開２００８−１５８１１４号公報に記載されている公知の光学素子である。図３および４に示す例では、反射型面対称結像素子９は、厚さが例えば１００ミクロンの基板２０に内面が反射鏡面になっている多数の微少な貫通穴２１が一面に設けられたものである。貫通穴２１は、１辺が例えば１００μｍの正方形断面の角柱状であり、互いに平行に例えば５０μｍ間隔で配置されている。この貫通穴２１の内壁には鏡面処理が施され、鏡面処理されて互いに隣接して直交する２つの内壁がマイクロミラー２２および２３となり、一方向を向くように配列された多数の２面コーナーリフレクター２４が構成されている。
【００１８】
このような反射型面対称結像素子９の背後に標識パターン５を持つ表示板６を設置して発光体７によって照明することにより、そこから発する光が貫通穴２１を通過する際にマイクロミラー２２および２３で２回反射されて鏡像８が作られるので、正面側から反射型面対称結像素子９を見ると背後の表示板６すなわち矢印等の標識パターン５が浮き上がって見え、立体感を出すことができ、視認性が高くなって注意喚起性が向上でき、意匠上も優れたものとなる。従って、従来奥行きを持たせて立体的に見せるために突出させることが必要であった表示板６の厚さを小さくすることができ、薄型化、材料費削減が図れる。また、表示板６の裏面に立体感を持たせるために彫り込んでいた凹型の矢印マークも必要がなく、作業時間およびコストの削減が図れる。
【００１９】
このようなエレベータ表示装置は、運行表示灯、呼びボタン、方向階床表示灯、などとして使用すると特にその効果が発揮できる。かご内の操作盤等に搭載されている運行表示灯として使用すれば、２方口のエレベータでドアが開く際にどちらのドアが開くかを知らせるときや、火災、停電、地震等の災害時などの、注意喚起を目的として使用することができる。また、エレベータ表示装置は、かご内の操作盤等に搭載されている階床登録ボタンに適用し、ボタンを押下して階床登録を行い、登録されたボタンはその階床に到着するまで点灯が維持されるようにすることができる。さらに、エレベータ表示装置は、かご内や乗場設置されていて、かごの走行方向や現在通過している階床についての情報等を提供するインジケータについても適用可能である。
【００２０】
以上に図示して説明したエレベータ装置は単なる例であって様々な変形が可能であり、またそれぞれの具体例の特徴を全てあるいは選択的に組み合わせて用いることもできる。例えば、標識パターン５を持つ表示板６を光を透過しない光反射型表示板とし、発光体７は表示板６と反射型面対称結像素子９との間に配置して、標識パターン５の鏡像８が表示板６からの反射光により形成されるようにすることもできる。
【産業上の利用可能性】
【００２１】
この発明はエレベータ表示装置として利用できるものである。
【符号の説明】
【００２２】
１  壁、２  壁開口、３  開口、４  フレームボックス、５  標識パターン、６  表示板、７  発光体、８  鏡像、９  反射型面対称結像素子、１０  フランジ、１１  ネジ、１２  取付タブ、１３  遮光カバー、１４  透明板、１５  フェイスプレート、１６  ボルト、１７  ナット、２０  基板、２１  貫通穴、２２、２３  マイクロミラー、２４  ２面コーナーリフレクター。
【図１】
2010208714.tif 000003
【図２】
2010208714.tif 000004
【図３】
2010208714.tif 000005
【図４】
2010208714.tif 000006